【手続補正書】
【提出日】平成15年8月27日(2003.8.27)
【手続補正１】
【補正対象書類名】明細書
【補正対象項目名】特許請求の範囲
【補正方法】変更
【補正の内容】
【特許請求の範囲】
【請求項１】
光源手段からの光束を光学手段を介して、所定の照射角に変換して照射する照射角可変の照明装置において、
該光学手段は該光源手段の被写体側に位置し、垂直方向に屈折力を持つ複数のシリンドリカルレンズ面を備えた第１の光学部材と、前記屈折力を打ち消す屈折力を持つ複数のシリンドリカルレンズ面を備えた一対の第２の光学部材とを備え、前記第２の光学部材を水平方向に移動可能としたことを特徴とする照射角可変の照明装置。
【請求項２】
前記第１の光学部材における前記複数のシリンドリカルレンズは、前記第１の光学部材の水平方向中央部に形成され、周辺部は平面で形成されていることを特徴とする請求項１の照射角可変の照明装置。
【請求項３】
前記第２の光学部材は、前記第１の光学部材における中央部から周辺部へ移動することを特徴とする請求項２の照射角可変の照明装置。
【請求項４】
前記光源手段は、水平方向に長い放電管であることを特徴とする請求項１の照射角可変の照明装置。
【請求項５】
前記第２の光学部材は、水平方向の中央部よりに水平方向に屈折力を持つ垂直方向に長い複数のプリズム列を有することを特徴とする請求項１の照射角可変の照明装置。
【請求項６】
前記第２の光学部材は、水平方向の周辺部に水平方向に屈折力を持つ垂直方向に長いフレネルレンズ面を有することを特徴とする請求項５の照射角可変の照明装置。
【請求項７】
前記移動可能な第２の光学部材の射出面の合計の長さは、第１の光学部材の射出面の長さの略半分の長さとなっていることを特徴とする請求項１に記載の照射角可変の照明装置。
【請求項８】
光源手段からの光束を光学手段を介して、所定の照射角に変換して照射する照射角可変の照明装置において、
該光源手段は水平方向に長い管状の発光体を有し、該光学手段は該光源手段から被写体側に順に、第１の光学部材と第２の光学部材を有しており、該第１の光学部材は短辺側を光源手段に対面して配置された水平断面内で台形状の形態を有し、第２の光学部材は該第１の光学部材の被写体側に対面して配置され水平方向に移動可能に射出光軸に対して対称で一対に形成されていることを特徴とする照射角可変の照明装置。
【請求項９】
前記第１の光学部材の射出面の水平方向の中央部にシリンドリカルレンズ面が水平方向に屈折力を持つように垂直方向に長く形成され、該シリンドリカルレンズ面の水平方向の周辺部にフレネルレンズ面が水平方向に屈折力を持つように垂直方向に長く形成されていることを特徴とする請求項８に記載の照射角可変の照明装置。
【請求項１０】
前記第２の光学部材の射出面にフレネルレンズ面が水平方向に屈折力を持つように垂直方向に長く形成されていることを特徴とする請求項８に記載の照射角可変の照明装置。
【請求項１１】
光源手段からの光束を光学手段を介して、所定の照射角に変換して照射する照射角可変の照明装置において、
該光源手段は水平方向に長い管状の発光体を有し、該光学手段は該光源手段から被写体側に順に、第１の光学部材と第２の光学部材を有しており、該第１の光学部材は短辺側を光源手段に対面して配置された水平断面内で台形状の形態を有し、第２の光学部材は該第１の光学部材の射出面に対面して配置され水平方向に移動可能に設けられていることを特徴とする照射角可変の照明装置。
【請求項１２】
前記第１の光学部材の射出面の水平方向の中央部にシリンドリカルレンズ面が水平方向に屈折力を持つように垂直方向に長く形成され、該シリンドリカルレンズ面の水平方向の周辺部にフレネルレンズ面が水平方向に屈折力を持つように垂直方向に長く形成されていることを特徴とする請求項１１に記載の照射角可変の照明装置。
【請求項１３】
前記第２の光学部材の射出面の水平方向の両周辺部にフレネルレンズ面が水平方向に屈折力を持つように垂直方向に長く形成されていることを特徴とする請求項１１に記載の照射角可変の照明装置。
【請求項１４】
光源手段からの光束を光学手段を介して、所定の照射角に変換して照射する照射角可変の照明装置において、
該光学手段は、該光源手段に対して被写体側に位置し、該光源手段の正面に対面する位置から該光学手段の水平方向の周辺部の位置まで移動可能であり、該光学手段の射出面に複数のプリズム列を形成したことを特徴とする照射角可変の照明装置。
【手続補正２】
【補正対象書類名】明細書
【補正対象項目名】００１３
【補正方法】変更
【補正の内容】
【００１３】
【課題を解決するための手段】
請求項１の発明の照射角可変の照明装置は、光源手段からの光束を光学手段を介して、所定の照射角に変換して照射する照射角可変の照明装置において、
該光学手段は該光源手段の被写体側に位置し、垂直方向に屈折力を持つ複数のシリンドリカルレンズ面を備えた第１の光学部材と、前記屈折力を打ち消す屈折力を持つ複数のシリンドリカルレンズ面を備えた一対の第２の光学部材とを備え、前記第２の光学部材を水平方向に移動可能としたことを特徴としている。


【手続補正３】
【補正対象書類名】明細書
【補正対象項目名】００１４
【補正方法】変更
【補正の内容】
【００１４】
請求項２の発明は、請求項１の発明において前記第１の光学部材における前記複数のシリンドリカルレンズは、前記第１の光学部材の水平方向中央部に形成され、周辺部は平面で形成されていることを特徴としている。


【手続補正４】
【補正対象書類名】明細書
【補正対象項目名】００１５
【補正方法】変更
【補正の内容】
【００１５】
請求項３の発明は、請求項２の発明において前記第２の光学部材は、前記第１の光学部材における中央部から周辺部へ移動することを特徴としている。


【手続補正５】
【補正対象書類名】明細書
【補正対象項目名】００１６
【補正方法】変更
【補正の内容】
【００１６】
請求項４の発明は、請求項１の発明において前記光源手段は、水平方向に長い放電管であることを特徴としている。


【手続補正６】
【補正対象書類名】明細書
【補正対象項目名】００１７
【補正方法】変更
【補正の内容】
【００１７】
請求項５の発明は、請求項１の発明において前記第２の光学部材は、水平方向の中央部よりに水平方向に屈折力を持つ垂直方向に長い複数のプリズム列を有することを特徴としている。


【手続補正７】
【補正対象書類名】明細書
【補正対象項目名】００１８
【補正方法】変更
【補正の内容】
【００１８】
請求項６の発明は、請求項５の発明において前記第２の光学部材は、水平方向の周辺部に水平方向に屈折力を持つ垂直方向に長いフレネルレンズ面を有することを特徴としている。


【手続補正８】
【補正対象書類名】明細書
【補正対象項目名】００１９
【補正方法】変更
【補正の内容】
【００１９】
請求項７の発明は、請求項１の発明において前記移動可能な第２の光学部材の射出面の合計の長さは、第１の光学部材の射出面の長さの略半分の長さとなっていることを特徴としている。


【手続補正９】
【補正対象書類名】明細書
【補正対象項目名】００２０
【補正方法】変更
【補正の内容】
【００２０】
請求項８の発明の照射角可変の照明装置は、光源手段からの光束を光学手段を介して、所定の照射角に変換して照射する照射角可変の照明装置において、
該光源手段は水平方向に長い管状の発光体を有し、該光学手段は該光源手段から被写体側に順に、第１の光学部材と第２の光学部材を有しており、該第１の光学部材は短辺側を光源手段に対面して配置された水平断面内で台形状の形態を有し、第２の光学部材は該第１の光学部材の被写体側に対面して配置され水平方向に移動可能に射出光軸に対して対称で一対に形成されていることを特徴としている。


【手続補正１０】
【補正対象書類名】明細書
【補正対象項目名】００２１
【補正方法】変更
【補正の内容】
【００２１】
請求項９の発明は、請求項８の発明において前記第１の光学部材の射出面の水平方向の中央部にシリンドリカルレンズ面が水平方向に屈折力を持つように垂直方向に長く形成され、該シリンドリカルレンズ面の水平方向の周辺部にフレネルレンズ面が水平方向に屈折力を持つように垂直方向に長く形成されていることを特徴としている。


【手続補正１１】
【補正対象書類名】明細書
【補正対象項目名】００２２
【補正方法】変更
【補正の内容】
【００２２】
請求項１０の発明は、請求項８の発明において前記第２の光学部材の射出面にフレネルレンズ面が水平方向に屈折力を持つように垂直方向に長く形成されていることを特徴としている。


【手続補正１２】
【補正対象書類名】明細書
【補正対象項目名】００２３
【補正方法】変更
【補正の内容】
【００２３】
請求項１１の発明の照射角可変の照明装置は、光源手段からの光束を光学手段を介して、所定の照射角に変換して照射する照射角可変の照明装置において、
該光源手段は水平方向に長い管状の発光体を有し、該光学手段は該光源手段から被写体側に順に、第１の光学部材と第２の光学部材を有しており、該第１の光学部材は短辺側を光源手段に対面して配置された水平断面内で台形状の形態を有し、第２の光学部材は該第１の光学部材の射出面に対面して配置され水平方向に移動可能に設けられていることを特徴としている。


【手続補正１３】
【補正対象書類名】明細書
【補正対象項目名】００２４
【補正方法】変更
【補正の内容】
【００２４】
請求項１２の発明は、請求項１１の発明において前記第１の光学部材の射出面の水平方向の中央部にシリンドリカルレンズ面が水平方向に屈折力を持つように垂直方向に長く形成され、該シリンドリカルレンズ面の水平方向の周辺部にフレネルレンズ面が水平方向に屈折力を持つように垂直方向に長く形成されていることを特徴としている。


【手続補正１４】
【補正対象書類名】明細書
【補正対象項目名】００２５
【補正方法】変更
【補正の内容】
【００２５】
請求項１３の発明は、請求項１１の発明において前記第２の光学部材の射出面の水平方向の両周辺部にフレネルレンズ面が水平方向に屈折力を持つように垂直方向に長く形成されていることを特徴としている。


【手続補正１５】
【補正対象書類名】明細書
【補正対象項目名】００２６
【補正方法】変更
【補正の内容】
【００２６】
請求項１４の発明の照射角可変の照明装置は、光源手段からの光束を光学手段を介して、所定の照射角に変換して照射する照射角可変の照明装置において、
該光学手段は、該光源手段に対して被写体側に位置し、該光源手段の正面に対面する位置から該光学手段の水平方向の周辺部の位置まで移動可能であり、該光学手段の射出面に複数のプリズム列を形成したことを特徴としている。


【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】